(57)【要約】【課題】通帳の印刷ページを容易に開くことができる手段を提供する。【解決手段】顧客の通帳に記帳する機能を有する通帳取扱部を備える自動取引装置において、通帳取扱部に識別マーク付与手段を設け、通帳の印刷ページの最終行を印刷した後に、この印刷ページの所定の部位に識別マーク付与手段により識別マークを形成する。【選択図】        図１
2004220278.tif 000002
【特許請求の範囲】
【請求項１】
顧客の通帳に記帳する機能を有する通帳取扱部を備える自動取引装置において、
前記通帳取扱部に識別マーク付与手段を設け、前記通帳の印刷ページの最終行を印刷した後に、該印刷ページの所定の部位に前記識別マーク付与手段により識別マークを形成することを特徴とする自動取引装置。
【請求項２】
請求項１において、
前記識別マークを、前記所定の部位を切取って形成することを特徴とする自動取引装置。
【請求項３】
請求項１において、
前記識別マークを、前記所定の部位を穿孔して形成することを特徴とする自動取引装置。
【請求項４】
請求項１において、
前記識別マークを、前記所定の部位にエンボスを刻印して形成することを特徴とする自動取引装置。
【請求項５】
請求項１から請求項３または請求項４において、
前記通帳の第１ページに、予め識別マークを形成しておくことを特徴とする自動取引装置。
【請求項６】
請求項１から請求項３または請求項４において、
前記通帳が複数の科目を記帳する通帳であるときに、各科目にパターンを変更した識別マークを設定し、印刷ページの最終行を印刷した後に、該印刷ページの科目に該当する前記識別マークを所定の部位に形成することを特徴とする自動取引装置。
【請求項７】
請求項６において、
前記各科目の最初のページに、予めその科目の設定した識別マークを形成しておくことを特徴とする自動取引装置。
【請求項８】
請求項６において、
前記識別マーク付与手段を切取機構とし、前記各科目に設定した識別マークを切欠部とし、予め前記各科目の最初のページにその科目に設定した切欠部を、他のページに次の科目に設定した切欠部を形成しておくことを特徴とする自動取引装置。
【請求項９】
請求項８において、
前記他のページに、予め更にその科目に設定した他の識別マークを形成しておき、印刷ページの最終行を印刷した後に、該印刷ページに形成されている他の識別マークを前記切取機構により切取ることを特徴とする自動取引装置。
【請求項１０】
請求項６から請求項８または請求項９において、
前記各科目のページが、異なる色彩を施したページであることを特徴とする自動取引装置。
【請求項１１】
自動取引装置に用いる通帳において、
前記通帳が複数の科目を記帳する通帳であるときに、各科目にパターンを変更した識別マークを設定し、前記各科目の最初のページに、予めその科目に設定した識別マークを形成しておき、前記通帳の印刷ページの最終行を印刷した後に、該印刷ページの科目に該当する前記識別マークを所定の部位に形成して用いることを特徴とする自動取引装置に用いる通帳。
【請求項１２】
請求項１１において、
前記各科目に設定した識別マークを切欠部とし、予め前記各科目の最初のページにその科目に設定した切欠部を、他のページに次の科目に設定した切欠部を形成しておくことを特徴とする自動取引装置に用いる通帳。
【請求項１３】
請求項１２において、
前記他のページに、予め更にその科目に設定した他の識別マークを形成しておき、印刷ページの最終行を印刷した後に、該印刷ページに形成されている他の識別マークを、前記自動取引装置に設けた切取機構により切取って用いることを特徴とする自動取引装置に用いる通帳。
【請求項１４】
請求項１１、請求項１２または１３において、
前記通帳が、その科目に設定した識別マークを切取るためのミシン目を有していることを特徴とする自動取引装置に用いる通帳。
【発明の詳細な説明】
【０００１】
【発明の属する技術分野】
本発明は、顧客の通帳に記帳する通帳取扱部を有する自動取引装置およびそれに用いる通帳に関する。
【０００２】
【従来の技術】
従来の自動取引装置においては、晴眼者である顧客が通帳を用いて取引を行う場合は、通帳のページを開いた後に自動取引装置に通帳を挿入し、開かれているページが印刷処理のできないページであったときは、通帳を返却して顧客が印刷可能なページを開いて通帳を再挿入し、顧客が視覚障害者の場合は、顧客がハンドセットを用いたことによって視覚障害者であることを判断してページ捲り機構によりページ捲りを行い、印刷可能なページを自動的に開いて印刷処理を行っている（例えば、特許文献１参照。）。
【０００３】
【特許文献１】
特開平５−２２５４２０号公報（第４−５ページ
【００２５】−
【００３１】、第１図）
【０００４】
【発明が解決しようとする課題】
しかしながら、上述した従来の技術においては、挿入された通帳の開かれたページが、既に記帳されているが、まだ記帳する余地を残した見開きページ（印刷ページという。）でない場合には、顧客が晴眼者のときは通帳が返却されて改めて印刷ページを開いて再挿入することが必要であり、視覚障害者のときはページ捲りを行う必要があるため、取引処理に時間を要し、自動取引装置の稼働率を低下させるという問題がある。
【０００５】
本発明は、上記の問題点を解決するためになされたもので、通帳の印刷ページを容易に開くことができる手段を提供することを目的とする。
【０００６】
【課題を解決するための手段】
本発明は、上記課題を解決するために、顧客の通帳に記帳する機能を有する通帳取扱部を備える自動取引装置において、前記通帳取扱部に識別マーク付与手段を設け、前記通帳の印刷ページの最終行を印刷した後に、該印刷ページの所定の部位に前記識別マーク付与手段により識別マークを形成することを特徴とする。
【０００７】
また、自動取引装置に用いる通帳において、前記通帳が複数の科目を記帳する通帳であるときに、各科目にパターンを変更した識別マークを設定し、前記各科目の最初のページに、予めその科目に設定した識別マークを形成しておき、前記通帳の印刷ページの最終行を印刷した後に、該印刷ページの科目に該当する前記識別マークを所定の部位に形成して用いることを特徴とする。
【０００８】
【発明の実施の形態】
以下に、図面を参照して本発明による自動取引装置の実施の形態について説明する。
第１実施の形態例
図１は第１実施の形態の通帳記帳処理を示すフローチャート、図２は第１実施の形態の自動取引装置を示すブロック図、図３は第１実施の形態の使用中の通帳を示す説明図である。
【０００９】
図２において、１は金融機関のセンタに設置されているホストコンピュータであり、銀行の支店等に設置されている自動取引装置２と専用回線や電話回線等の通信回線を介して接続されており、顧客の口座番号やその暗証番号、口座残高等の顧客情報を顧客ファイルとして格納する顧客情報データベース３を保有して顧客の口座を管理する。
【００１０】
４は自動取引装置２の制御部であり、通信部５によって通信回線を介してホストコンピュータ１と接続しており、自動取引装置２内の各部を制御して取引制御を行うと共にデータ通信等も制御する。
６は記憶部であり、制御部４が実行するプログラムや制御部４による処理結果等が格納される。
【００１１】
７は顧客操作部であり、ＣＲＴまたはＬＣＤ等の表示画面とタッチパネル等との組合せ等で構成されており、取引選択画面や顧客の希望等を問合せる画面、顧客の処置を促す画面等を表示する一方、タッチパネル等により顧客からの入力を受付ける。
８はカード取扱部であり、挿入された顧客のキャッシュカード等の取引カードの磁気ストライプに記録されている内容を読み書きすると共に取引明細票等を印刷する機能を有している。
【００１２】
９は通帳取扱部であり、顧客が通帳１０を挿入する通帳挿入口、挿入された通帳１０を搬送する通帳搬送路、搬送された通帳１０の磁気ストライプに記録されている通帳情報を読み書きする磁気データ読取書込部、取引内容等を印刷して顧客の通帳１０に記帳する記帳部、通帳１０のページ１１を１枚毎に捲るページ捲り機構および捲ったページ１１の所定の部位に識別マークを形成する識別マーク付与手段を備えている。
【００１３】
本実施の形態では、識別マーク付与手段としてＬ字型の刃もしくは四角形のパンチとこれに嵌合するダイス等を有してページ１１の一部を切取る切取機構とその切断片の収納部が設けられている。
１２は紙幣入出金部であり、顧客が投入した紙幣を受入れ、これを鑑別、計数して収納し、顧客に払出す紙幣を排出する。
【００１４】
１３は硬貨入出金部であり、顧客が投入した硬貨を受入れ、これを鑑別、計数して収納し、顧客に払出す硬貨を排出する。
図３において、１４は通帳１０の表紙である。
本実施の形態では、図３に示すように通帳１０の表紙１４の次のページ、つまり通帳１０の１枚目のページ１１（以下、「第１ページ１１ａ」という。２枚目以降のページ１１を示す場合も同様に第２ページ１１ｂ、第３ページ１１ｃとして示す。）の裏面（以下、ページ１１の表紙１４側の面を「おもて面」、その反対側の面を「裏面」という。）と第２ページ１１ｂのおもて面で構成される見開きページから記帳を開始する形式の通帳１０を用いる。
【００１５】
また、通帳１０は１つの科目、例えば普通預金の記帳に専用に用いられる通帳１０である。
１５は識別マークとしての切欠部であり、第２ページ１１ｂ以降のページ１１を通帳取扱部９の切取機構よって所定の部位、例えばページ１１の開放端の右隅を四角形に切取って形成されており、その大きさはページに記帳される取引内容等の印刷を妨げず、かつ指先が通過する程度に設定される。
【００１６】
図３は使用中の通帳１０を示しており、第３ページ１１ｃのおもて面まで記帳を終了した通帳１０であって、印刷ページは第３ページ１１ｃの裏面および第４ページ１１ｄのおもて面で構成される見開きページである。
なお、切欠部１５の形状は、四角形に限らず半円形や半楕円形、隅を斜めに切取った三角形等であってもよく、記帳を妨げなければどのような形状や大きさであってもよい。
【００１７】
上述した構成の作用について説明する。
以下に、図１に示すフローチャートを用い、Ｓで示すステップに従って顧客による出金取引の場合を例に本実施の形態の通帳記帳処理について説明する。
Ｓ１、自動取引装置２の顧客操作部７の画面には取引選択画面が表示されている。
【００１８】
取引選択画面には、取引ボタンの押下を促す旨の文言と出金取引のための「お引き出し」ボタン、入金取引のための「お預け入れ」ボタンおよび通帳１０に未記入の取引データを記帳するための「通帳記帳」ボタン等の取引を選択するための取引ボタンが表示されている。
本実施の形態では、顧客は顧客操作部７の画面から「お引き出し」ボタンを押下する。
【００１９】
Ｓ２、この信号を検知した制御部４は、顧客の取引カードの挿入を促す画面を表示し、顧客が取引カードをカード取扱部８に挿入すると、制御部４は取引カードの磁気ストライプに記録された顧客の口座情報等のカード情報を読取る。
次いで、制御部４は顧客操作部７の画面に暗証番号の入力を促す画面を表示し、顧客は暗証番号を入力する。
【００２０】
暗証番号の入力が終わると、制御部４は顧客操作部７の画面に通帳記帳の要否を問合せる文言を表示した画面や通帳取扱部９の近傍に設置したフリッカランプの点滅等によって顧客に通帳の挿入が可能であることを通知する。
この場合に、制御部４は一定の時間を経過しても通帳１０の挿入を検知しない場合は、通帳１０への記帳は不要としてステップＳ３へ移行する。
【００２１】
本実施の形態では、顧客は通帳記帳を行うために印刷ページを開いた通帳１０を通帳取扱部９の通帳挿入口へ挿入する。
この時、通帳１０は図３に示すようにおもて面に記帳を終了した第３ページ１１ｃまで右隅に切欠部１５が形成されており、顧客は視認もしくは触読によってこの切欠部１５の下にある第４ページ１１ｄの右隅を指で抑えて通帳１０を開き、第３ページ１１ｃの裏面と第４ページ１１ｄのおもて面で構成される印刷ページを容易に開くことができる。
【００２２】
印刷ページを開いた通帳１０が挿入されると、制御部４は通帳取扱部９の通帳搬送路によって通帳１０を搬送し、所定の位置で通帳１０の磁気ストライプに記録された口座情報を読取り、通帳１０を記帳部へ搬入して待機させる。
なお、未使用の通帳１０を最初に挿入する場合は切欠部１５は形成されていないが、開くべき印刷ページは必ず第１ページ１１ａを開いた見開きページであるので、顧客は迷うことなく印刷ページを開くことができる。
【００２３】
Ｓ３、通帳１０を待機させると、制御部４は出金取引処理を実行する。
すなわち、制御部４は顧客操作部７の画面に金額入力画面を表示して引出金額の入力を促し、顧客は引出金額を入力する。
引出金額の入力を認識すると、制御部４はホストコンピュータ１との間で顧客認証処理を行うために、取引カードのカード情報に暗証番号や引出金額等を添付して取引電文を作成し、通信部５によってホストコンピュータ１へ送信する。
【００２４】
ホストコンピュータ１は、受信したカード情報を基に顧客情報データベース３の顧客ファイルを検索して該当する顧客ファイルの暗証番号と取引電文の暗証番号とを照合し、暗証番号が一致した場合は顧客を認証し、口座残高に不足がない場合は取引許可の旨を、暗証番号が一致しない場合や口座残高が不足している場合はそれぞれの旨を添付した取引不許可の旨を電文にして取引可否電文を作成し、これを自動取引装置２へ通信回線を介して送信する。
【００２５】
自動取引装置２の制御部４は、通信部５によって取引可否電文を受信し、取引可否電文を基に取引可否を判断し、取引不許可の場合は顧客操作部７の画面に取引不許可の旨を表示し、挿入されている取引カードや通帳１０を顧客に返却して取引を終了させ、ステップＳ１へ戻って顧客操作部７の画面に取引選択画面を表示して待機する。
【００２６】
取引許可の場合は、制御部４は取引内容を基に印刷データを作成すると共に、引出金額を紙幣入出金部１２および必要に応じて硬貨入出金部１３からそれぞれ計数して繰出す。
Ｓ４、制御部４は、上記ステップＳ２で通帳１０が挿入されている場合は記帳が必要としてステップＳ６へ、通帳１０が挿入されていない場合はステップＳ５へ移行する。
【００２７】
Ｓ５、制御部４は、印刷データをカード取扱部８へ送って取引明細票に印刷データを印刷し、顧客操作部７の画面に現金や取引カード、取引明細票の受取りを促す画面を表示すると共に繰出した現金や取引カード、取引明細票を排出し、顧客がこれらを受取ったことを確認して取引を終了させ、ステップＳ１へ戻って顧客操作部７の画面に取引選択画面を表示して待機する。
【００２８】
Ｓ６、制御部４は通帳に取引内容等の記帳を行うために印刷データを通帳取扱部９へ転送する。
Ｓ７、制御部４は通帳取扱部９の記帳部によって転送された印刷データから１行分の記帳データを抽出し、記帳部に待機している通帳１０の印刷ページのまだ記帳されていない未記帳部分を検出して未記帳部分の最初の行に取引内容等を１行印刷して記帳する。
【００２９】
Ｓ８、１行の記帳を終えると、制御部４は記帳した１行の位置を検出し、記帳した１行が印刷ページの最終行であればステップＳ９へ、最終行でなければステップＳ１０へ移行する。
Ｓ９、記帳した１行が印刷ページの最終行であることを検出した制御部４は、通帳取扱部９のページ捲り機構によりおもて面に記帳を終了したページ１１を１枚捲る。
【００３０】
このページ捲りの過程で、制御部４は捲っているページ１１（図３では、おもて面に記帳を終了した第４ページ１１ｄ）の所定の部位を切取機構により切取って識別マークとしての切欠部１５を形成し、更に捲って新たな印刷ページ（図３では、第４ページ１１ｄの裏面と第５ページ１１ｅのおもて面で構成される未記帳の見開きページ）を開き、ステップＳ１０へ移行する。
【００３１】
なお、この捲るべきページ１１が通帳１０の最終ページ、つまり通帳１０が使用済みとなった場合は、制御部４は通帳１０に使用済みの処理を施して通帳１０が使用済みとなった旨および応対窓口により新たな通帳１０を発行する旨等を音声で顧客に通知する一方、その内容を現金や通帳、取引カード等の受取りを促す文言と共に顧客操作部７の画面に表示し、繰出した現金や使用済みとなった通帳１０等を排出し、顧客がこれらを受取ったことを確認して取引を終了させ、ステップＳ１へ戻って顧客操作部７の画面に取引選択画面を表示して待機する。
【００３２】
Ｓ１０、制御部１１は記帳すべき残項目がある場合は、ステップ７へ戻って上記作動を繰返す。
記帳すべき残項目がない場合は、ステップＳ１１へ移行する。
Ｓ１１、制御部４は、顧客操作部７の画面に現金や通帳、取引カード等の受取りを促す画面を表示すると共に繰出した現金や取引内容等の記帳を終えた通帳等を排出し、顧客がこれらを受取ったことを確認して取引を終了させ、ステップＳ１へ戻って顧客操作部７の画面に取引選択画面を表示して待機する。
【００３３】
以上説明したように、本実施の形態では、記帳を終了した印刷ページの所定の部位に識別マークとしての切欠部を形成するようにしたことによって、晴眼者のみならず視覚障害者においても通帳の印刷ページを容易に開くことができ、自動取引装置の稼働率を向上することができる。
第２実施の形態例
図４は第２実施の形態の使用中の通帳を示す説明図である。
【００３４】
なお、上記第１実施の形態例と同様の部分は、同一の符号を付してその説明を省略する。
本実施の形態の自動取引装置２は、第１実施の形態例の図２に示す自動取引装置２と同様であるが、通帳取扱部９の識別マーク付与手段は、円柱状のパンチとこれに嵌合するダイスを有しており、ページ１１の一部に孔を穿孔する穿孔機構とその穿孔片の収納部が設けられている。
【００３５】
図４において、２１は識別マークとしての円形の孔であり、第２ページ１１ｂ以降のページ１１を通帳取扱部９の穿孔機構よって所定の部位、例えばページ１１の開放端の右隅を穿孔して形成されており、その大きさは記帳を妨げず、かつ視認および／もしくは触読が可能な程度に設定する。
図４は使用中の通帳１０を示しており、第２ページ１１ｂのおもて面まで記帳を終了した通帳１０であって、印刷ページは第２ページ１１ｂの裏面および第３ページ１１ｃのおもて面で構成される見開きページである。
【００３６】
なお、孔２１の形状は、円形に限らず楕円形や三角形、四角形、多角形等であってもよく、記帳を妨げず、かつ視認および／もしくは触読が可能な形状であればどのような形状であってもよい。また孔２１の数は、複数であってもよい。
上記の構成の作用について説明する。
本実施の形態の通帳記帳処理の作動は、図１に示す第１実施の形態例の通帳記帳処理と同様であるが、以下に示す作動が異なる。
【００３７】
ステップＳ２において顧客が通帳１０を開いて挿入する場合は、通帳１０が図４に示す使用中のときは、おもて面に記帳を終了した第２ページ１１ｂまで右隅に孔２１が形成されており、顧客はこの孔２１を視認もしくは触読によって確認して第２ページの裏面と第３ページ１１ｃのおもて面から構成される印刷ページを容易に開くことができる。未使用の通帳１０のときは、上記第１実施の形態例と同様である。
【００３８】
ステップＳ９において制御部４がページ捲りの過程で制御部４が識別マークを形成する場合は、制御部４が捲っているページ１１（図４では、おもて面に記帳を終了した第３ページ１１ｃ）の所定の部位を穿孔機構により穿孔して識別マークとしての孔２１を形成するようにする。
以上説明したように、本実施の形態では、第１実施の形態例と同様に、記帳を終了した印刷ページの所定の部位に識別マークとしての孔を形成するようにしたことによって、晴眼者のみならず視覚障害者においても通帳の印刷ページを容易に開くことができ、自動取引装置の稼働率を向上することができる。
【００３９】
第３実施の形態例
図５は第３実施の形態の未使用の通帳を示す説明図である。
なお、上記第各実施の形態例と同様の部分は、同一の符号を付してその説明を省略する。
本実施の形態の自動取引装置２は、第２実施の形態例の自動取引装置２と同様であるが、通帳取扱部９の識別マーク付与手段は、円柱状のパンチとこれに嵌合するダイスを複数備えており、ページ１１の一部に孔の数を変えて穿孔することが可能な穿孔機構とその穿孔片の収納部が設けられている。
【００４０】
図５において、２５は通帳であり、１つの通帳２５に複数の科目の取引内容等を記帳することができる。
２６ａは第１の科目に設定された識別マークとしての孔であり、１つの孔で構成されており、第１の科目の最初のページ、つまり第１ページ１１ａの所定の部位、例えば開放端の右隅に予め形成されている。
【００４１】
２６ｂは第２の科目に設定された識別マークとしての孔であり、第１の科目の孔２６ａとはパターンを変更して２つの孔２６ｂで構成されており、第２の科目の最初のページ、つまりその裏面から第２の科目の記帳が開始される第４ページ１１ｄの所定の部位、例えば開放端の右隅に予め形成されている。
上記のそれぞれパターンを変更した孔２６ａと孔２６ｂの大きさは、記帳を妨げず、かつ視認および／もしくは触読が可能な程度に設定する。
【００４２】
なお、孔２６ａ、２６ｂの形状は、円形に限らず楕円形や三角形、四角形、多角形等であってもよく、記帳を妨げず、かつ視認および／もしくは触読が可能な形状であればどのような形状であってもよい。
上記の構成の作用について説明する。
本実施の形態の通帳記帳処理の作動は、図１に示す第１実施の形態例の通帳記帳処理と同様であるが、通帳１０に替えて通帳２５が用いられる以外に、以下に示す作動が異なる。
【００４３】
ステップＳ２において、顧客が通帳２５を開いて挿入する場合は、通帳２５が図５に示す未使用のとき、および使用中のときは、顧客は予め形成されている、および後述するステップＳ９において形成される孔２６ａ、２６ｂによって取引を行う科目の印刷ページを視認もしくは触読によって区別して容易に開くことができる。
【００４４】
ステップＳ９において、記帳した１行が印刷ページの最終行であることを検出した制御部４は、通帳取扱部９のページ捲り機構によりおもて面に記帳を終了したページ１１を１枚捲る。
このページ捲りの過程で、制御部４は捲っているページ１１（例えば、図５に示す第２の科目のページ１１であるおもて面に記帳を終了した第５ページ１１ｅ）の所定の部位にその科目にパターンを変更して設定されている識別マークを穿孔機構の複数のパンチの一部または全部を用いて穿孔し、識別マークとしての孔２６ａまたは２６ｂを形成（本ステップの例では、第２科目の識別マークとして設定されている２つの孔２６ｂを穿孔機構の２本のパンチによって形成）し、更に捲って新たな印刷ページ（本ステップの例では、第５ページ１１ｅの裏面と第６ページ１１ｆのおもて面で構成される未記帳の見開きページ）を開き、ステップＳ１０へ移行する。
【００４５】
なお、この捲るべきページ１１が科目の最終ページ、つまり通帳２５が使用済みとなった場合は、第１実施の形態例のステップＳ９で説明したのと同様にして制御部４は、繰出した現金や使用済みとなった通帳２５等を排出し、顧客がこれらを受取ったことを確認して取引を終了させ、ステップＳ１へ戻って顧客操作部７の画面に取引選択画面を表示して待機する。
【００４６】
以上説明したように、本実施の形態では、第１実施の形態例と同様に、記帳を終了した印刷ページの所定の部位に各科目にパターンを変更して設定した識別マークとしての孔を形成するようにしたことによって、晴眼者のみならず視覚障害者においても通帳の科目を区別して印刷ページを容易に開くことができ、自動取引装置の稼働率を向上することができる。
【００４７】
また、通帳の各科目の最初のページに、その科目に設定したパターンの識別マークを予め形成しておくようにしたことによって、視覚障害者の利便性を更に向上することができる。
第４実施の形態例
図６は第４実施の形態の未使用の通帳を示す説明図、図７はその使用中の通帳を示す説明図である。
【００４８】
なお、上記第各実施の形態例と同様の部分は、同一の符号を付してその説明を省略する。
本実施の形態の自動取引装置２は、第１実施の形態例の図２に示す自動取引装置２と同様であるが、通帳取扱部９の識別マーク付与手段は、Ｌ字型の刃もしくは四角形のパンチとこれに嵌合するダイスを複数備えており、ページ１１の一部を切取るときにその大きさを変更することが可能な切取機構とその穿孔片の収納部が設けられている。
【００４９】
なお、切取る大きさを変更することが可能な切取機構は、刃やパンチを移動させる移動機構を設けて構成するようにしてもよい。
図６において、３１ａは第１の科目に設定された識別マークとしての切欠部であり、第３の科目の識別マークとして設定された切欠部３１ｃの通帳２５の短手方向の長さを略３倍に伸張して構成されており、第１の科目の最初のページ、つまり第１ページ１１ａの所定の部位、例えば第１ページ１１ａの右側に予め形成されている。
【００５０】
３１ｂは第４ページ１１ｄの裏面から記帳が開始される第２の科目に設定された識別マークとしての切欠部であり、第１の科目の切欠部３１ａとはパターンを変更して第３の科目の切欠部３１ｃの通帳２５の短手方向の長さを略２倍に伸張して構成されている。
そして、第１の科目の取引内容等を記載する見開きページの最初のページ（第１ページ１１ａ）以外のページ１１、つまり第２ページ１１ｂから第４ページ１１ｄまでの所定の部位、例えばページ１１の右側には第２の科目の識別マークである切欠部３１ｂが、予め形成されている。
【００５１】
これによって、第２の科目の最初のページでもある第４ページ１１ｄには、第２の科目の識別マークである切欠部３１ｂが予め形成される。
上記の互いにパターンを変更した切欠部３１ａ、３１ｂ、３１ｃの大きさは、その表紙１４に近い側から順次小さくなるように構成されると共に、記帳を妨げず、かつ最も裏表紙側にある科目に設定された切欠部（図６では切欠部３１ｃ）を指先の通過が可能な程度に設定する。
【００５２】
上記の構成の作用について説明する。
本実施の形態の通帳記帳処理の作動は、図１に示す第１実施の形態例の通帳記帳処理と同様であるが、通帳１０に替えて通帳２５が用いられる以外に、以下に示す作動が異なる。
ステップＳ２において、顧客が通帳２５を開いて挿入する場合は、通帳２５が図６に示す未使用のとき、および図７に示す使用中のときは、顧客は予め形成されている、および後述するステップＳ９において形成される切欠部３１ａ、３１ｂ、３１ｃによって取引を行う科目の印刷ページを視認もしくは触読によって区別して容易に開くことができる。
【００５３】
ステップＳ９において、記帳した１行が印刷ページの最終行であることを検出した制御部４は、通帳取扱部９のページ捲り機構によりおもて面に記帳を終了したページ１１を１枚捲る。
このページ捲りの過程で、制御部４は捲っているページ１１（例えば、図７に示す第１の科目のページ１１であるおもて面に記帳を終了した第２ページ１１ｂ）の所定の部位にその科目にパターンを変更して設定されている識別マークを切取機構を用いて切取り、識別マークとしての切欠部３１ａ、３１ｂ、または３１ｃを形成（本ステップの例では、第１科目の識別マークとして設定されている切欠部３１ａを第２ページに予め形成されている切欠部３１ｂを図７に示すように切り足して形成）し、更に捲って新たな印刷ページ（本ステップの例では、第２ページ１１ｂの裏面と第３ページ１１ｃのおもて面で構成される見開きページ）を開き、ステップＳ１０へ移行する。
【００５４】
なお、通帳２５が使用済みとなった場合の作動は、上記第３実施の形態例のステップＳ９の作動と同様である。
以上説明したように、本実施の形態では、第１実施の形態例と同様に、記帳を終了した印刷ページの所定の部位に各科目にパターンを変更して設定した識別マークとしての切欠部を形成するようにしたことによって、晴眼者のみならず視覚障害者においても通帳の科目を区別して印刷ページを容易に開くことができ、自動取引装置の稼働率を向上することができる。
【００５５】
また、通帳の科目のページの最初のページにその科目に設定したパターンの識別マークを、他のページに次の科目に設定したパターンの識別マークを予め形成しておくようにしたことによって、視覚障害者の利便性を更に向上することができる。
第５実施の形態例
図８は第５実施の形態の未使用の通帳を示す説明図である。
【００５６】
なお、上記第各実施の形態例と同様の部分は、同一の符号を付してその説明を省略する。
本実施の形態の自動取引装置２は、第４実施の形態例の自動取引装置２と同様である。
図８において、切欠部３１ａ、３１ｂ、３１ｃは、それぞれ第４実施の形態例と同様に予め形成された第１の科目、第２の科目、第３の科目にパターンを変更して設定された識別マークである。
【００５７】
３６ａ、３６ｂ、３６ｃはそれぞれ予め形成された第１の科目、第２の科目、第３の科目にパターンを変更して設定された他の識別マークとしての孔であり、第３実施の形態例と同様に１つ、２つ、３つの孔３６ａ、３６ｂ、３６ｃで構成されており、それぞれの科目のページの最初のページ以外のページ１１にその科目に設定された孔３６ａ、３６ｂ、３６ｃが、図８に示すようにそれそれの科目の最も表紙１４側の孔３６ａ、３６ｂ、３６ｃが視認および／もしくは触読できるように所定の形成部位に予め形成されている。
【００５８】
上記の構成の作用について説明する。
本実施の形態の通帳記帳処理の作動は、第４実施の形態例の通帳記帳処理と同様であるが、以下に示す作動が異なる。
ステップＳ２において、顧客が通帳２５を開いて挿入する場合は、通帳２５が図８に示す未使用のとき、および使用中のときは、顧客は予め形成されている孔３６ａ、３６ｂ、３６ｃと予め形成されているおよび後述するステップＳ９において形成される切欠部３１ａ、３１ｂ、３１ｃとによって取引を行う科目の印刷ページを視認もしくは触読によって区別して容易に開くことができる。
【００５９】
ステップＳ９における作動は、第４実施の形態例と同様であるが、ページ捲りの過程で、例えば第１の科目のページ１１であるおもて面に記帳を終了した第２ページ１１ｂを切り足して第１の科目に設定されている切欠部３１ａを形成するときは、孔３６ａを全て含んで切取るようにする。
以上説明したように、本実施の形態では、第４実施の形態例の効果に加えて、他の識別マークとしての孔を更に加えて予め形成しておくようにしたことによって、晴眼者や視覚障害者の利便性を更に向上することができる。
【００６０】
なお、他の識別マークとしては、各科目を表す文言もしくは略称を用いるようにしてもよく、各科目に設定した色彩をページの一部または全面に施して用いるようにしてもよい。
また、これらを上記の孔に替えてもしくは加えて、またはこれら全てを併用して用いるようにしてもよく、これによって晴眼者の利便性を更に向上することができる。
【００６１】
第６実施の形態例
図９は第６実施の形態の未使用の通帳を示す説明図である。
なお、上記第各実施の形態例と同様の部分は、同一の符号を付してその説明を省略する。
本実施の形態の自動取引装置２は、第４実施の形態例の自動取引装置２と同様である。
【００６２】
図９において、４１ａはミシン目であり、第１の科目に設定された切欠部３１ａを形成できるように、予め第１の科目の最初のページ以外のページ１１に設けられている。
なお、他の科目の最初のページ以外のページ１１にも同様の図示しないミシン目が予め設けられている。
【００６３】
上記の構成の作用について説明する。
本実施の形態の通帳記帳処理の作動は、第４実施の形態例の通帳記帳処理と同様であるので、その説明を省略する。
本実施の形態では、第４実施の形態例の効果に加えて、各科目に設定された識別マークである切欠部を形成するためのミシン目を予め設けるようにしたことによって、記帳を終了した印刷ページを切取るときに、切取機構の刃物の負担を軽減することができ、刃物の寿命を向上させて切取機構のメンテナンス間隔を延長することができる。
【００６４】
また、このミシン目を設けることによって、本発明を適用していない自動取引装置や応対窓口で通帳を用いた取引を行った場合にも、顧客が記帳を終了した印刷ページを切取ることができ、あらゆる場合に対応できる自動取引装置に用いる通帳を得ることができる。
なお、上記のミシン目を第１、第５実施の形態例の通帳に設けるようにしても同様の効果を得ることができる。
【００６５】
上記の第２、第３、第５実施の形態例において、通帳取扱部に設ける識別マーク付与手段は、略半球状または略半楕円球上、円柱状、多角柱状等のエンボスを刻印するためのエンボス刻印機構であってもよい。これによって視覚障害者の触読性を更に向上することができると共に、切断片や穿孔片等を収納する収納庫を省略でき、自動取引装置の簡素化を図ることができる。
【００６６】
また、上記の第１、第２実施の形態例において、通帳の第１ページには識別マークを設けないとして説明したが、予め第１ページの同様の部位に同様の識別マークを形成しておくようにしてもよく、表紙１４にも予め同様の識別マークを形成しておくようにしてもよい。これによって視覚障害者の利便性を更に向上することができる。
【００６７】
更に、上記の各実施の形態例においては、切欠部を設ける部位は通帳の開放端の右隅または右側として説明したが、切欠部を設ける部位は前記の部位に限らず、中央や左隅、開放端側や左側等の任意の部位であってよく、設定した任意の部位を所定の部位とし、その通帳については常にその設定した所定の部位を切取るようにすればよい。
【００６８】
更に、上記の各実施の形態例においては、出金取引の場合を例に説明したが、入金取引や通帳記帳等の他の通帳を用いる取引の場合も同様である。
更に、上記の各実施の形態例においては、通帳が第１ページの裏面から記帳を開始する形式のものであるとして説明したが、第１ページのおもて面から記帳を開始する形式の場合にも上記各実施の形態例と同様にして識別マークを形成すれば同様の効果が得られる。
【００６９】
【発明の効果】
以上述べたように、本発明は、記帳を終了した印刷ページの所定の部位に識別マークを形成するようにしたことによって、通帳の印刷ページを容易に開くことができ、自動取引装置の稼働率を向上することができるという効果が得られる。
【図面の簡単な説明】
【図１】第１実施の形態の通帳記帳処理を示すフローチャート
【図２】第１実施の形態の自動取引装置を示すブロック図
【図３】第１実施の形態の使用中の通帳を示す説明図
【図４】第２実施の形態の使用中の通帳を示す説明図
【図５】第３実施の形態の未使用の通帳を示す説明図
【図６】第４実施の形態の未使用の通帳を示す説明図
【図７】第４実施の形態の使用中の通帳を示す説明図
【図８】第５実施の形態の未使用の通帳を示す説明図
【図９】第６実施の形態の未使用の通帳を示す説明図
【符号の説明】
１    ホストコンピュータ
２    自動取引装置
３    顧客情報データベース
４    制御部
５    通信部
６    記憶部
７    顧客操作部
８    カード取扱部
９    通帳取扱部
１０、２５  通帳
１１  ページ
１１ａ〜１１ｆ  第１〜第６ページ
１２  紙幣入出金部
１３  硬貨入出金部
１４  表紙
１５、３１ａ、３１ｂ、３１ｃ  切欠部
２１、２６ａ、２６ｂ、３６ａ、３６ｂ、３６ｃ  孔
４１  ミシン目
【図１】
2004220278.tif 000003
【図２】
2004220278.tif 000004
【図３】
2004220278.tif 000005
【図４】
2004220278.tif 000006
【図５】
2004220278.tif 000007
【図６】
2004220278.tif 000008
【図７】
2004220278.tif 000009
【図８】
2004220278.tif 000010
【図９】
2004220278.tif 000011